(57)【要約】【課題】圧入部材を圧入した際に発生する異物の流体への混入を防止する。【解決手段】流体機器１の流路２に設けられるチェック弁１０は、流体機器１の流路２に圧入される本体部２１と、本体部２１よりも圧入方向側に位置し本体部２１よりも小径に形成される小径部２２と、本体部２１と小径部２２の間に設けられ周方向に形成される溝２３と、を備える。【選択図】図１
2017089858.tif 000002
【特許請求の範囲】
【請求項１】
流体機器の流路に設けられる圧入部材であって、
前記流体機器の前記流路に圧入される本体部と、
前記本体部よりも圧入方向側に位置し前記本体部よりも小径に形成される小径部と、
前記本体部と前記小径部の間に設けられ周方向に形成される溝と、を備えることを特徴とする圧入部材。
【請求項２】
前記溝は、前記本体部を前記流路に圧入させる際に発生する異物を捕捉するためのものであることを特徴とする請求項１に記載の圧入部材。
【発明の詳細な説明】
【技術分野】
【０００１】
本発明は、流体機器の流路に設けられる圧入部材に関するものである。
【背景技術】
【０００２】
特許文献１には、シリンダヘッドに流出弁が設けられた高圧ポンプが記載されている。この流出弁は、シリンダヘッドの流出孔内にばねホルダを圧入することで固定される。
【先行技術文献】
【特許文献】
【０００３】
【特許文献１】特表２００８−５４０９３４号公報
【発明の概要】
【発明が解決しようとする課題】
【０００４】
特許文献１に記載の高圧ポンプでは、ばねホルダを流出孔に圧入する際に、ばねホルダの先端部分が流出孔の内壁を削って異物が発生することがある。このような異物が流路内の流体に混入すると、異物が流体とともに流れて流体回路を構成する流体機器のシール部や摺動部に入り込んでしまい、シール部や摺動部においてシール不良や摩耗が発生するおそれがある。
【０００５】
本発明は、上記の問題点に鑑みてなされたものであり、圧入部材を圧入した際に発生する異物の流体への混入を防止することを目的とする。
【課題を解決するための手段】
【０００６】
第１発明は、流体機器の流路に設けられる圧入部材であって、流体機器の流路に圧入される本体部と、本体部よりも圧入方向側に位置し本体部よりも小径に形成される小径部と、本体部と小径部の間に設けられ周方向に形成される溝と、を備えることを特徴とする。
【０００７】
第１の発明では、圧入部材の本体部を圧入する際に発生した異物は、本体部と小径部の間に設けられた溝内に捕捉される。
【０００８】
第２の発明は、溝は、本体部を流路に圧入させる際に発生する異物を捕捉するためのものであることを特徴とする。
【発明の効果】
【０００９】
本発明によれば、圧入部材を圧入した際に発生する異物の流路中の流体への混入を防止できる。
【図面の簡単な説明】
【００１０】
【図１】本発明の実施形態に係る圧入部材の断面図である。
【図２】本発明の実施形態に係る圧入部材の溝付近の拡大図である。
【発明を実施するための形態】
【００１１】
以下、図面を参照して、本発明の実施形態に係る圧入部材について説明する。
【００１２】
圧入部材は、流体機器の流路に設けられる。本実施形態では、流体機器がポンプ１であり、圧入部材がチェック弁１０である場合について説明する。
【００１３】
図１は、ポンプ１に形成された流路２に設けられるチェック弁１０を示している。チェック弁１０は、カートリッジ式のチェック弁である。
【００１４】
図１に示すように、チェック弁１０は、流路２に固定され内部に貫通路２４が形成されたハウジング２０と、貫通路２４の段差部２５に形成された弁座２６に対して着座又は離間する球状の弁体３０と、弁体３０を弁座２６に向かって付勢する付勢ばね４０と、貫通路２４の一端に固定され付勢ばね４０の端部を支持するばね受５０と、を備える。チェック弁１０は、ハウジング２０に弁体３０、付勢ばね４０、及びばね受５０を組み付けた後、流路２の開口２ｂから流路２内に圧入される。
【００１５】
このように構成されたチェック弁１０の機能について説明する。
【００１６】
図１における左側から流体が流路２内を流れてくると、チェック弁１０の貫通路２４内に流体が流入する。そして、流体の圧力が弁体３０に作用すると、弁体３０は付勢ばね４０の付勢力に抗して弁座２６から離間する。これにより、流体はチェック弁１０を通過して、チェック弁１０の下流側へと流れていく。これに対して、図１における右側から流体が流路２内を流れてくると、ばね受５０側から貫通路２４内に流体が流入する。このとき、弁体３０は付勢ばね４０の付勢力によって弁座２６に着座している。このため、流体はチェック弁１０を通過することができない。つまり、チェック弁１０は、図１における右側からの流体の流れに対してチェック機能を果たすことになる。このように、チェック弁１０は、流路２内の流体の一方向の流れのみを許容するものである。
【００１７】
次に、チェック弁１０のハウジング２０の具体的な構成について説明する。
【００１８】
図１及び図２に示すように、ハウジング２０は、流路２に圧入される本体部２１と、本体部２１よりも圧入方向側に位置し本体部２１よりも小径に形成される小径部２２と、本体部２１と小径部２２の間に設けられ周方向に形成される環状の溝２３と、を備える。本体部２１と小径部２２とは、一体のものとして連続的に形成される。本体部２１は、流路２の内周面２ａの径よりもわずかに大きな径を有し、小径部２２は、流路２の内周面２ａよりも小さな径を有する。これにより、流路２の内周面２ａと小径部２２との間には、隙間Ｃが存在する。なお、小径部２２は、流路２の内周面２ａと略同じ径であってもよい。この場合には、隙間Ｃは存在しないことになる。
【００１９】
次に、溝２３の機能について、図２を参照しながら具体的に説明する。図２は、溝２３付近の拡大図である。
【００２０】
チェック弁１０は、流路２の開口２ｂから図１、２に示す矢印の方向に圧入されることによって、流路２に固定される。具体的には、本体部２１が流路２の内周面２ａに圧入されることによって流路２の内周面２ａに固定される。
【００２１】
本体部２１を流路２の内周面２ａに圧入する際に、本体部２１の圧入方向の先端部２１Ａによって、流路２の内周面２ａが削られて異物６０が発生することがある。このような異物６０が流路２内の流体に混入してしまうと、異物６０が流体とともに流れて、例えば、弁体３０と弁座２６との間のシート部分に噛みこんでしまうおそれがある。異物６０がこのようなシート部分に噛みこんでしまうと、閉弁時に弁体３０と弁座２６との間に隙間ができてしまい、流体が漏れてしまい、チェック弁１０の機能が損なわれる。また、異物６０が、アクチュエータなどの摺動部分に入り込んでしまうと、摩耗や作動不良の原因となる。
【００２２】
このため、チェック弁１０では、本体部２１と小径部２２の境界部分に溝２３が形成される。これにより、ハウジング２０を圧入した際に本体部２１の先端部２１Ａによって発生した異物６０は、溝２３内において捕捉される。これにより、異物６０が流路２内の流体に混入することを防止できる。
【００２３】
また、小径部２２と流路２の内周面２ａとの間の隙間Ｃを所定の小さな隙間とすることで、溝２３内において捕捉された異物６０が隙間Ｃを通過しづらくなるので、異物６０が流路２へ流出することを防止できる。
【００２４】
小径部２２は、流路２の内周面２ａとの間に所定の隙間Ｃを有するように形成されるため、小径部２２と流路２の内周面２ａとが接することはない。したがって、小径部２２が流路２の内周面２ａを削ってしまうことはないため、溝２３よりも圧入方向側から異物が発生することはない。
【００２５】
以上の本実施形態によれば、以下の効果を奏する。
【００２６】
チェック弁１０では、本体部２１と小径部２２の境界部分に溝２３が形成される。したがって、チェック弁１０のハウジング２０を圧入する際に発生した異物６０は溝２３内に捕捉される。これにより、異物６０が流路２内の流体に混入することを防止できる。
【００２７】
チェック弁１０では、小径部２２と流路２の内周面２ａとの間の隙間Ｃを所定の小さな隙間が形成される。これにより、溝２３内に捕捉された異物６０は隙間Ｃを通過しづらいため、異物６０が流路２へ流出することを防止できる。
【００２８】
また、小径部２２はハウジング２０を圧入する際にガイドとして機能する。これにより、チェック弁１０を流路２に対して同軸に圧入することができる。
【００２９】
以上のように構成された本発明の実施形態の構成、作用、及び効果をまとめて説明する。
【００３０】
第１の発明は、流体機器（ポンプ１）の流路２に設けられた圧入部材（チェック弁１０）は、流体機器（ポンプ１）の流路２に圧入される本体部２１と、本体部２１よりも圧入方向側に位置し本体部２１よりも小径に形成される小径部２２と、本体部２１と小径部２２の間に設けられ周方向に形成される溝２３と、を備えることを特徴とする。
【００３１】
この構成によれば、圧入部材（チェック弁１０）の本体部２１を圧入する際に発生した異物６０は、本体部２１と小径部２２の間に設けられた溝２３内に捕捉される。これにより、圧入部材（チェック弁１０）を圧入したときに発生する異物６０の流路２中の流体への混入を防止できる。
【００３２】
第２の発明は、溝は、本体部２１を流路２に圧入させる際に発生する異物６０を捕捉するためのものであることを特徴とする。
【００３３】
以上、本発明の実施形態について説明したが、上記実施形態は本発明の適用例の一部を示したに過ぎず、本発明の技術的範囲を上記実施形態の具体的構成に限定する趣旨ではない。
【００３４】
本実施形態では、チェック弁１０を例にして説明したが、圧入部材は、各種バルブ、オリフィス、フィルタのハウジングや、管、継手などであってもよい。また、流体機器は、内部に流路を有するものであればよく、コンプレッサ、アクチュエータ、バルブ、管、あるいは、タンクなどであってもよい。
【符号の説明】
【００３５】
１・・・ポンプ（流体機器）、２・・・流路、１０・・・チェック弁（圧入部材）、２０・・・ハウジング、２１・・・本体部、２１Ａ・・・先端部、２２・・・小径部、２３・・・溝、２６・・・弁座、３０・・・弁体、４０・・・付勢ばね、５０・・・ばね座、６０・・・異物
【図１】
2017089858.tif 000003
【図２】
2017089858.tif 000004